(57)【要約】【課題】圧力損失及び騒音発生を抑制しつつ、通風路を上流側フィンによって閉鎖する際に操作ノブの操作荷重が大きくなるのを抑制する。【解決手段】操作ノブ５１のスライド動作を上流側特定フィン４１に伝達して、同上流側特定フィン４１及び上流側通常フィン４２を傾動させて通風路２０を閉鎖させる伝達機構７０として、ピニオンギヤ７１、伝達体７２及びフォーク部７５を備えるものを採用する。ピニオンギヤ７１を、上流側特定フィン４１の上流側フィン軸４４に一体回動可能に設ける。伝達体７２を、下流側中央フィン３２の延びる方向へスライド可能に配置され、かつピニオンギヤ７１に噛み合わされたラックギヤ７３と、ラックギヤ７３に繋がれた伝達軸部７４とにより構成する。操作ノブ５１に設けられたフォーク部７５により伝達軸部７４を挟み込む。【選択図】図５
2016032958.tif 000002
【特許請求の範囲】
【請求項１】
通風路での空調用空気の流通方向に交差する方向へ延びる下流側フィンと、前記下流側フィンよりも上流でそれぞれ傾動可能に支持された複数の上流側フィンからなり、その１つが、前記流通方向及び前記下流側フィンの延びる方向の両者に交差する方向へ延びる上流側本体部と、同上流側本体部の延びる方向の両側の上流側フィン軸とを有する上流側特定フィンとされ、残りが、前記上流側特定フィンに同期して傾動される上流側通常フィンとされた上流側フィン群と、前記下流側フィンに対し、その延びる方向へスライド可能に設けられた操作ノブと、前記操作ノブのスライド動作を前記上流側特定フィンに伝達して、前記上流側フィンを傾動させて前記通風路を閉鎖させる伝達機構と
を備え、前記伝達機構は、
前記上流側特定フィンの少なくとも一方の上流側フィン軸に一体回動可能に設けられたピニオンギヤと、
前記下流側フィンの延びる方向へスライド可能に配置され、かつ前記ピニオンギヤに噛み合わされたラックギヤに伝達軸部を繋いでなる伝達体と、
前記操作ノブに設けられ、かつ前記伝達軸部を挟み込むフォーク部と
を備える空調用レジスタ。
【請求項２】
前記ピニオンギヤは、一対の前記上流側フィン軸のそれぞれに設けられ、
前記ラックギヤは、前記ピニオンギヤに対応して一対設けられ、
前記伝達軸部は前記両ラックギヤを連結するものである請求項１に記載の空調用レジスタ。
【請求項３】
前記下流側フィン及び前記上流側フィン群は、前記通風路を有するケース内に配置されており、
前記上流側特定フィンは、前記上流側フィン軸において前記ケースの壁部に傾動可能に支持され、
前記上流側フィン軸が支持される前記壁部には、前記ピニオンギヤを格納するための格納部が設けられている請求項１又は２に記載の空調用レジスタ。
【請求項４】
前記上流側フィン軸が支持される前記壁部には、前記下流側フィンの延びる方向に沿って延びるガイド溝が設けられ、
前記ラックギヤは、前記ガイド溝にスライド可能に配置されている請求項３に記載の空調用レジスタ。
【発明の詳細な説明】
【技術分野】
【０００１】
本発明は、空調装置から送られてきて室内に吹き出す空調用空気の向きをフィンにより変更する空調用レジスタに関し、より詳しくは、フィンにより通風路を閉鎖する構造を有する空調用レジスタに関する。
【背景技術】
【０００２】
空調装置から送られてきて車室内に吹き出す空調用空気の向きを変更等するための空調用レジスタの一形態として、フィンによって通風路を閉鎖する構造を有するものが例えば特許文献１に記載されている。
【０００３】
この空調用レジスタは、ケース、下流側フィン、上流側フィン及び操作ノブを備えている。下流側フィンは、ケースに傾動可能に配置されている。上流側フィンは、下流側フィンよりも上流側で同下流側フィンに対し直交した状態で配設され、上流側フィン軸によりケースに傾動可能に支持されている。操作ノブは、下流側フィンに対し、同下流側フィンの延びる方向へスライド可能に装着されている。さらに、操作ノブのスライド操作を上流側フィンに伝達するために、操作ノブに設けられたラックギヤが、上流側フィンに設けられたピニオンギヤに噛み合わされている。
【０００４】
上記空調用レジスタでは、操作ノブに対し、下流側フィンの厚み方向へ向かう力が加えられると、下流側フィンが同方向へ傾動させられる。この際には、ラックギヤが下流側フィンと一緒に傾動し、ピニオンギヤの歯上を摺動する。ラックギヤの動きはピニオンギヤに伝達されず、上流側フィンは傾動されない。空調用空気は、傾動させられた下流側フィンに沿うことで流れ方向を変えられる。
【０００５】
操作ノブが下流側フィン上をスライド操作されると、ラックギヤのピニオンギヤとの噛み合い位置が変化し、上流側フィンが上流側フィン軸を支点として傾動させられる。上記スライド操作が操作ノブの通常可動領域で行なわれると、空調用空気は、傾動させられた上流側フィンに沿って流れることで流れ方向を変えられる。上記スライド操作が、上記通常可動領域を越えた特定可動領域で行なわれると、スライド操作が通常可動領域で行なわれた場合よりも上流側フィンが大きく傾動し、ケース内の通風路が上流側フィンによって閉鎖される。
【０００６】
ところが、上記特許文献１のようにラックギヤ及びピニオンギヤを用いたものでは、圧力損失の増大や騒音の発生を招く問題がある。これは、次の理由による。
・操作ノブの操作を通じて下流側フィンを厚み方向へ傾動させる際に、その下流側フィンの傾きに拘わらず、ラックギヤをピニオンギヤに噛み合わせようとすると、ラックギヤの歯幅方向（下流側フィンの厚み方向）の寸法が大きくなる。
【０００７】
・上流側フィンによって通風路を閉鎖するタイプの空調用レジスタでは、閉鎖しないタイプの空調用レジスタよりも上流側フィンが大きく傾動されることで通風路が閉鎖される。そのため、ラックギヤの歯の並び方向（下流側フィンの延びる方向）の寸法が大きくなる。
【０００８】
このように、歯幅方向（下流側フィンの厚み方向）にも、歯の並び方向（下流側フィンの延びる方向）にもラックギヤの寸法が大きくなることから、ラックギヤによる通風抵抗が大きくなり、圧力損失が増大したり騒音が生じたりする。
【０００９】
一方、上流側フィンによって通風路を閉鎖しないタイプの空調用レジスタにおいて、操作ノブのスライド操作を上流側フィンに伝達する機構として、例えば、特許文献２に記載されたものがある。この空調用レジスタでは、１つの上流側フィンが、上流側フィン軸に平行に延びる伝達軸部を有する。操作ノブが、伝達軸部を挟み込むフォーク部を有する。
【００１０】
この空調用レジスタでは、操作ノブに対し、下流側フィンの厚み方向へ向かう力が加えられると、フォーク部が伝達軸部を挟み込んだ状態で、下流側フィンと一緒に同方向へ傾動させられる。フォーク部の動きは伝達軸部に伝達されず、上流側フィンは傾動させられない。これに対し、操作ノブが下流側フィン上をスライド操作されると、伝達軸部がフォーク部によって押され、上流側フィンが上流側フィン軸を支点として傾動させられる。
【００１１】
上記空調用レジスタでは、フォーク部が下流側フィンの傾きに拘らず、また上流側フィンの傾きに拘らず伝達軸部を挟み込む構造のため、下流側フィンの延びる方向についても同下流側フィンの厚み方向についてもフォーク部の寸法を小さくすることが可能である。
【００１２】
そこで、上記フォーク部及び伝達軸部により、操作ノブのスライド操作を上流側フィンに伝達する構造を、上流側フィンによって通風路を閉鎖するタイプの空調用レジスタに適用することが考えられる。
【先行技術文献】
【特許文献】
【００１３】
【特許文献１】特開２０１１−２２５１８３号公報
【特許文献２】特開２００９−１６６５１８号公報
【発明の概要】
【発明が解決しようとする課題】
【００１４】
ところが、通風路を上流側フィンによって閉鎖する際、閉鎖しないものよりも、操作ノブを大きくスライド操作して、フォーク部によって伝達軸部を上流側フィン軸の周りで大きく旋回させることで、上流側フィンを大きく傾動させる必要がある。この場合、通風路を閉鎖する際、上流側フィン軸の周りで伝達軸部を旋回させようとする力が小さくなる。そのため、操作ノブを大きな操作荷重でスライド操作しなければならなくなる。
【００１５】
本発明は、このような実情に鑑みてなされたものであって、その目的は、圧力損失及び騒音発生を抑制しつつ、通風路を上流側フィンによって閉鎖する際に操作ノブの操作荷重が大きくなるのを抑制することのできる空調用レジスタを提供することにある。
【課題を解決するための手段】
【００１６】
上記課題を解決する空調用レジスタは、通風路での空調用空気の流通方向に交差する方向へ延びる下流側フィンと、前記下流側フィンよりも上流でそれぞれ傾動可能に支持された複数の上流側フィンからなり、その１つが、前記流通方向及び前記下流側フィンの延びる方向の両者に交差する方向へ延びる上流側本体部と、同上流側本体部の延びる方向の両側の上流側フィン軸とを有する上流側特定フィンとされ、残りが、前記上流側特定フィンに同期して傾動される上流側通常フィンとされた上流側フィン群と、前記下流側フィンに対し、その延びる方向へスライド可能に設けられた操作ノブと、前記操作ノブのスライド動作を前記上流側特定フィンに伝達して、前記上流側フィンを傾動させて前記通風路を閉鎖させる伝達機構とを備え、前記伝達機構は、前記上流側特定フィンの少なくとも一方の上流側フィン軸に一体回動可能に設けられたピニオンギヤと、前記下流側フィンの延びる方向へスライド可能に配置され、かつ前記ピニオンギヤに噛み合わされたラックギヤに伝達軸部を繋いでなる伝達体と、前記操作ノブに設けられ、かつ前記伝達軸部を挟み込むフォーク部とを備えている。
【００１７】
上記の構成によれば、操作ノブが下流側フィンの延びる方向の一方へスライド操作されると、フォーク部も同方向へ移動し、伝達体の伝達軸部を同方向へ押圧する。フォーク部による押圧力が伝達軸部を通じてラックギヤに伝達され、伝達体が、操作ノブと同一方向へ移動する。ラックギヤの移動に伴い、ピニオンギヤのラックギヤとの噛合い部分が変化し、上流側フィン軸を支点としてピニオンギヤが回動する。上流側特定フィンが上流側フィン軸を支点として同方向へ傾動する。
【００１８】
また、上流側特定フィンの上記傾動が上流側通常フィンに伝達されて、同上流側通常フィンが上流側特定フィンに同期して傾動される。上流側フィン群によって通風路が閉鎖されないときには、空調用空気は、傾動された上流側特定フィン及び上流側通常フィンに沿って流れることで、流れ方向を変えられる。これに対し、上流側フィン群によって通風路が閉鎖されると、上流側フィン群よりも下流への空調用空気の流通が遮断される。
【００１９】
ここで、操作ノブのスライド操作（直線運動）は、ラックギヤ及びピニオンギヤによって上流側特定フィンの上流側フィン軸を支点とした傾動運動に変換される。そのため、操作ノブのスライド操作のために同操作ノブに加えられる荷重（操作荷重）は、上流側フィンによって通風路を閉鎖する場合にも閉鎖しない場合にも小さく、しかも、略一定である。
【００２０】
一方、上流側特定フィンの上流側フィン軸は、通風路から外れた箇所に位置する。ピニオンギヤは、この上流側フィン軸に設けられている。また、ラックギヤはこのピニオンギヤに噛み合わされている。伝達機構のうちピニオンギヤ及びラックギヤは通風路から外れた箇所に位置する。伝達機構のうち通風路に位置するのは、伝達軸部及びフォーク部のみである。
【００２１】
操作ノブのスライド操作をフォーク部によって伝達軸部に伝達して、伝達体を移動させ、上流側特定フィンを傾動させるものでは、フォーク部が下流側フィンの傾きに拘らず伝達軸部を挟み込む構造を採っている。そのため、下流側フィンの延びる方向についても厚み方向についてもフォーク部の寸法を小さくすることが可能である。
【００２２】
従って、通風路内において上流側特定フィンの上流側本体部にピニオンギヤが設けられ、操作ノブに設けられたラックギヤがこのピニオンギヤに噛み合わされたものに比べ、操作ノブのスライド操作を上流側特定フィンに伝達するための部位に起因する圧力損失及び騒音発生が抑制される。
【００２３】
上記空調用レジスタにおいて、前記ピニオンギヤは、一対の前記上流側フィン軸のそれぞれに設けられ、前記ラックギヤは、前記ピニオンギヤに対応して一対設けられ、前記伝達軸部は前記両ラックギヤを連結するものであることが好ましい。
【００２４】
上記の構成によれば、操作ノブがスライド操作されると、フォーク部も同方向へ移動し、伝達体の伝達軸部を同方向へ押圧する。フォーク部による押圧力が伝達軸部を通じて、その伝達軸部の両端に設けられた一対のラックギヤに伝達される。そのため、伝達体が、姿勢を保ちながら安定した状態で操作ノブと同一方向へ移動する。
【００２５】
上記空調用レジスタにおいて、前記下流側フィン及び前記上流側フィン群は、前記通風路を有するケース内に配置されており、前記上流側特定フィンは、前記上流側フィン軸において前記ケースの壁部に傾動可能に支持され、前記上流側フィン軸が支持される前記壁部には、前記ピニオンギヤを格納するための格納部が設けられていることが好ましい。
【００２６】
上記の構成によれば、空調用空気の通風路はケースによって囲まれている。ピニオンギヤは、このケースにおいて上流側フィン軸が支持された壁部の格納部に格納されている。ラックギヤは、このピニオンギヤに噛み合わされている。このようにして、伝達機構のうちピニオンギヤ及びラックギヤは通風路から外れた箇所に位置する。従って、ピニオンギヤ及びラックギヤが、通風路での空調用空気の流通を阻害することが抑制される。
【００２７】
上記空調用レジスタにおいて、前記上流側フィン軸が支持される前記壁部には、前記下流側フィンの延びる方向に沿って延びるガイド溝が設けられ、前記ラックギヤは、前記ガイド溝にスライド可能に配置されていることが好ましい。
【００２８】
上記の構成によれば、操作ノブが下流側フィンの延びる方向の一方へスライド操作され、フォーク部を通じて伝達軸部が同方向へ押圧されると、ラックギヤが、壁部に設けられたガイド溝によって下流側フィンの延びる方向に導かれる。
【発明の効果】
【００２９】
上記空調用レジスタによれば、圧力損失及び騒音発生を抑制しつつ、通風路を上流側フィンによって閉鎖する際に操作ノブの操作荷重が大きくなるのを抑制することができる。
【図面の簡単な説明】
【００３０】
【図１】第１実施形態における空調用レジスタの斜視図。
【図２】図１の空調用レジスタの正面図。
【図３】図１の空調用レジスタの構成部品の一部を示す分解斜視図。
【図４】同じく図１の空調用レジスタの構成部品の一部を示す分解斜視図。
【図５】図１の空調用レジスタの平断面図。
【図６】（ａ），（ｂ）は、第１実施形態において、操作ノブが通常可動領域でスライド操作されたときの空調用レジスタの状態を示す部分平断面図。
【図７】第１実施形態において、操作ノブが特定可動領域でスライド操作されたときの空調用レジスタの状態を示す部分平断面図。
【図８】第１実施形態において、一番端に位置する上流側通常フィンと連結ロッドとの連結構造を示す部分正面図。
【図９】図１の空調用レジスタの側断面図。
【図１０】第１実施形態の空調用レジスタを示す図であり、（ａ）は、操作ノブが基準位置にあるときの連動機構の状態を示す部分側断面図、（ｂ），（ｃ）は、操作ノブが基準位置から第２方向へ操作されたときの連動機構の状態を示す部分側断面図。
【図１１】第２実施形態における空調用レジスタの斜視図。
【図１２】図１１の空調用レジスタの正面図。
【図１３】図１１の空調用レジスタの構成部品の一部を示す分解斜視図。
【図１４】第２実施形態における連動機構及び姿勢維持機構を示す部分分解斜視図。
【図１５】第２実施形態における空調用レジスタの部分平断面図。
【図１６】図１１の空調用レジスタの側断面図。
【図１７】第２実施形態の空調用レジスタを示す図であり、（ａ）は、操作ノブが基準位置にあるときの連動機構の状態を示す部分側断面図、（ｂ），（ｃ）は、操作ノブが基準位置から第２方向へ操作されたときの連動機構の状態を示す部分側断面図。
【発明を実施するための形態】
【００３１】
（第１実施形態）
以下、車両用の空調用レジスタに具体化した第１実施形態について、図１〜図１０を参照して説明する。
【００３２】
なお、以下の記載においては、車両の進行方向（前進方向）を前方とし、後進方向を後方とし、高さ方向を上下方向として説明する。また、車幅方向（左右方向）については、車両を後方から見た場合を基準として方向を規定する。
【００３３】
車室内において、車両の前席（運転席及び助手席）の前方にはインストルメントパネルが設けられ、その車幅方向の中央部、側部等には空調用レジスタが組込まれている。この空調用レジスタの主な機能は、空調装置から送られてきて車室内に吹き出す空調用空気の向きを変更すること、空調用空気の吹き出しを遮断すること等である。
【００３４】
図３〜図５に示すように、空調用レジスタ１０は、ケース１１、下流側フィン群、上流側フィン群、操作ノブ５１、連動機構６０及び伝達機構７０を備えている。次に、空調用レジスタ１０を構成する各部の構成について説明する。
【００３５】
＜ケース１１＞
図１及び図２に示すように、ケース１１は、空調装置の通風ダクト（図示略）と、インストルメントパネルに設けられた開口（図示略）とを繋ぐためのものである。図５及び図９に示すように、ケース１１は、内ケース１２と、内ケース１２を覆う外ケース１５とを備えている。内ケース１２は、上流側内リテーナ１３及び下流側内リテーナ１４によって構成されている。内ケース１２の内部空間は、空調装置から通風ダクトを通じて送られてきた空調用空気（温風や冷風）Ａ１の流路（以下「通風路２０」という）を構成している。ここで、通風路２０での空調用空気Ａ１の流れ方向について、空調装置に近い側を上流側とし、同空調装置から遠い側を下流側とする。
【００３６】
また、通風路２０での空調用空気Ａ１の通風方向に直交する面上において、互いに略直交する２方向の一方を第１方向とし、他方を第２方向とする。第１実施形態では、車幅方向を第１方向とし、上下方向を第２方向とする。
【００３７】
上流側内リテーナ１３は、内ケース１２の最上流部分を構成する部材であり、横長の四角枠状をなしている（図４参照）。下流側内リテーナ１４は、上流側内リテーナ１３の下流側に配置されており、横長の四角枠状をなしている（図３参照）。下流側内リテーナ１４は、自身の上流端部において上流側内リテーナ１３の下流端部に連結されている。
【００３８】
外ケース１５の下流側の端部には、横長長方形状の開口が設けられている。この開口は、通風路２０の下流端である、空調用空気Ａ１の吹出口１６を構成している。外ケース１５の下流端面は、空調用レジスタ１０の意匠面を構成している。
【００３９】
下流側内リテーナ１４内において上記吹出口１６の上縁部の上流近傍と、下縁部の上流近傍とには、それぞれ後述する下流側端フィン３１を収納するための空間である収納部１７が設けられている。
【００４０】
通風路２０は、内ケース１２の４つの壁部によって取り囲まれている。これらの４つの壁部は、第１方向に相対向する一対の第１壁部２１と、第２方向に相対向する一対の第２壁部２２とからなる。
【００４１】
図３及び図５に示すように、下流側内リテーナ１４の下流端部と外ケース１５との連結部分のうち、両第１壁部２１であって、第２方向の互いに離間した複数箇所には軸受部２３が設けられている。第１実施形態では、第１方向の一方（図３及び図５の各右方）の軸受部２３として、孔２４を有する長尺状の軸受部材２５が用いられ、下流側内リテーナ１４と外ケース１５との連結部分に組込まれている。
【００４２】
図３及び図９に示すように、両第２壁部２２であって、上記軸受部２３よりも上流には、第１方向へ延びるガイド溝２６がそれぞれ形成されている。
図４及び図９に示すように、両第２壁部２２であって、上記ガイド溝２６よりも上流には、複数の軸受部２７が設けられている。これらの軸受部２７は、第１方向については、互いに略等間隔で離れた箇所に位置している。
【００４３】
さらに、両第２壁部２２には、後述するピニオンギヤ７１を格納するための格納部２８が設けられている。各格納部２８は、上記複数の軸受部２７のうち、第１方向の中央部に位置するもの、表現を変えると、後述する上流側特定フィン４１の上流側フィン軸４４を支持する軸受部２７と繋がっている。
【００４４】
＜下流側フィン群＞
図３及び図９に示すように、下流側フィン群は、通風路２０における吹出口１６の上流近傍において、第２方向へ互いに離間した状態で配設された複数の下流側フィンからなる。
【００４５】
ここで、複数の下流側フィンを区別するために、第２方向の両端部に位置するものを「下流側端フィン３１」といい、同第２方向の中央部に位置するものを「下流側中央フィン３２」といい、各下流側端フィン３１と下流側中央フィン３２との間に位置する２つの下流側フィンを「下流側中間フィン３３」というものとする。各下流側端フィン３１は、上記収納部１７に配置されている。
【００４６】
両下流側端フィン３１、下流側中央フィン３２及び両下流側中間フィン３３は、いずれも板状の下流側本体部３４と、一対の下流側フィン軸３５とを備えている。下流側本体部３４及び両下流側フィン軸３５は、空調用空気Ａ１の流通方向に対し交差する方向である第１方向へそれぞれ延びている。
【００４７】
各下流側フィン軸３５は、各下流側本体部３４における第１方向の両方の端面から突出している。各下流側フィン軸３５は、通風方向については、各下流側本体部３４の下流端に設けられている。両下流側端フィン３１、下流側中央フィン３２及び両下流側中間フィン３３は、両下流側フィン軸３５において、両第１壁部２１の上記軸受部２３に傾動可能に支持されている。
【００４８】
下流側中央フィン３２及び両下流側中間フィン３３は、下流側フィン軸３５を支点として、第２方向の両側（上側、下側）へ傾動可能であり、第２壁部２２に対し平行な状態にも、下流側ほど高くなる傾斜状態にも、低くなる傾斜状態にもなり得る。
【００４９】
これに対し、両下流側端フィン３１の可動域は、上記下流側中央フィン３２及び両下流側中間フィン３３の可動域の半分に制限されている。すなわち、両下流側端フィン３１は、図９に示すように、第２壁部２２に対し平行な状態で収納部１７に収納される位置と、図１０（ｂ），（ｃ）に示すように、上流端が通風路２０の内側へ迫り出すように第２壁部２２に対し傾斜する位置との間でのみ両下流側フィン軸３５を支点として傾動可能である。
【００５０】
＜上流側フィン群＞
図４及び図５に示すように、上流側フィン群は、通風路２０内の上記下流側フィン群よりも上流において、第１方向へ互いに離間した状態で配設された複数の上流側フィンからなる。
【００５１】
ここで、複数の上流側フィンを区別するために、第１方向の略中央部に位置するものを「上流側特定フィン４１」といい、それ以外のものを「上流側通常フィン４２」というものとする。
【００５２】
上流側特定フィン４１及び各上流側通常フィン４２は、いずれも板状の上流側本体部４３と、一対の上流側フィン軸４４とを備えている。上流側本体部４３及び両上流側フィン軸４４は、空調用空気Ａ１の流通方向と、上記下流側本体部３４及び下流側フィン軸３５の延びる方向との両者に交差する方向である第２方向へそれぞれ延びている。
【００５３】
各上流側フィン軸４４は、上流側本体部４３における第２方向の両方の端面から突出している。各上流側フィン軸４４は、通風方向については、各上流側本体部４３の略中央部に設けられている。上流側特定フィン４１及び各上流側通常フィン４２は、両上流側フィン軸４４において、両第２壁部２２の上記軸受部２７に傾動可能に支持されている。
【００５４】
図５及び図８に示すように、各上流側本体部４３の上流端であって第２方向の中間部（第１実施形態では略中央部）には、第１方向の一方（図５の右方）へ延びるアーム４５が形成されている。各アーム４５からは第２方向の一方（上方）へ向けて連結軸４６が突出している。上流側本体部４３毎の連結軸４６は、第１方向に延びる長尺状の連結ロッド４７によって連結されている。この連結ロッド４７は、上述した下流側中央フィン３２の上流に位置しており、空調用レジスタ１０の下流側からは見えない、又は見えにくくされている（図２、図９参照）。
【００５５】
そして、これらの上流側本体部４３、上流側フィン軸４４、連結軸４６、連結ロッド４７等により、全ての上流側通常フィン４２を上流側特定フィン４１に同期した状態で傾動させる平行リンク機構４８が構成されている。
【００５６】
＜操作ノブ５１＞
図１及び図２に示す操作ノブ５１は、吹出口１６からの空調用空気Ａ１の吹出し方向を変更する際に乗員によって操作される部材である。操作ノブ５１は、下流側中央フィン３２の下流側本体部３４に対し、その延びる方向である第１方向へスライド可能に装着されている。操作ノブ５１は、下流側中央フィン３２と一緒に、下流側フィン軸３５を支点として傾動可能であり、また、下流側本体部３４上をスライドすることで、第１方向へ変位可能である。
【００５７】
＜連動機構６０＞
図３及び図１０に示すように、連動機構６０は、下流側中央フィン３２に連動して、両下流側端フィン３１及び両下流側中間フィン３３を、次のように作動させるための機構である。
【００５８】
（Ｉ）下流側中央フィン３２が第２壁部２２に対し平行な状態から傾動された場合、両下流側中間フィン３３を下流側中央フィン３２と同一方向へ傾動させる。
（ＩＩ）下流側中央フィン３２が第２壁部２２に対し平行な状態から傾動された場合、下流側中央フィン３２の上流端に近い側の下流側端フィン３１を第２壁部２２に対し平行な状態にし、遠い側の下流側端フィン３１を下流側中央フィン３２と同一傾向の方向へ傾動させる。
【００５９】
両下流側中間フィン３３及び下流側中央フィン３２の各下流側本体部３４において、第１方向の一方（図３の右方）の端面からは、同方向の外方へ向けて伝達軸６１が突出している。各伝達軸６１は、各下流側本体部３４において空調用空気Ａ１の流通方向の中央部付近に設けられている。
【００６０】
これに対し、各下流側端フィン３１の上流部であって第１方向の一方（図３の右方）の端部には、通風路２０の内側へ向けて延びるアーム６２が形成されている。各アーム６２からは、一方（図３の右方）の第１壁部２１側へ向けて伝達軸６３が突出している。
【００６１】
各下流側本体部３４と、一方（図３の右方）の第１壁部２１との間には、下流側中央フィン３２の傾動に連動して第２方向へ移動する伝達部材が設けられている。第１実施形態では、伝達部材として、第２方向へ延びる長尺板状のカム部材６４が用いられている。カム部材６４は、第２方向へ延びる姿勢を保ちつつ同方向へ平行移動し得る態様で、上記伝達軸６１，６３に連結されている。
【００６２】
より詳しくは、カム部材６４において、第２方向の中間部分であって、同方向へ互いに離間した複数箇所（３箇所）には、孔６５が貫通されている。カム部材６４の上部及び下部には、それぞれ被係合部としてカム孔６６，６７が貫通した状態で形成されている。
【００６３】
上側のカム孔６６は、第１孔部６６ａ及び第２孔部６６ｂの組合わせによって構成されている。第１孔部６６ａは、下流側中央フィン３２の傾動に伴うカム部材６４の変位（平行移動）を、上側の下流側端フィン３１に伝達しない非伝達領域を構成するものであり、下流側へ膨らむ円弧状に形成されている。第２孔部６６ｂは、カム部材６４の上記変位（平行移動）を、伝達軸６３及びアーム６２を通じて上側の下流側端フィン３１に伝達する伝達領域を構成するものであり、第２壁部２２に対し平行に延びている。第２孔部６６ｂは、その上流端において第１孔部６６ａの上端に繋がっている。
【００６４】
下側のカム孔６７は、第１孔部６７ａ及び第２孔部６７ｂの組合わせによって構成されている。第１孔部６７ａは、下流側中央フィン３２の傾動に伴うカム部材６４の変位（平行移動）を、下側の下流側端フィン３１に伝達しない非伝達領域を構成するものであり、下流側へ膨らむ円弧状に形成されている。第２孔部６７ｂは、カム部材６４の上記変位（平行移動）を、伝達軸６３及びアーム６２を通じて下側の下流側端フィン３１に伝達する伝達領域を構成するものであり、第２壁部２２に対し平行に延びている。第２孔部６７ｂは、その上流端において第１孔部６７ａの下端に繋がっている。
【００６５】
そして、両下流側中間フィン３３及び下流側中央フィン３２の各伝達軸６１が、カム部材６４の孔６５に回動可能に係合されている。互いに平行に配置された下流側中央フィン３２及び両下流側中間フィン３３が、それらの伝達軸６１においてカム部材６４に係合されていることから、カム部材６４は下流側中央フィン３２及び両下流側中間フィン３３の傾動に伴い、姿勢を保ちつつ第２方向（上下方向）へ平行移動する。
【００６６】
また、上側の下流側端フィン３１の伝達軸６３がカム孔６６内に移動可能に係合され、下側の下流側端フィン３１の伝達軸６３がカム孔６７内に移動可能に係合されている。
伝達軸６３のカム孔６６，６７に対する係合は、次の条件を満たすように行なわれている。
【００６７】
（ｉ）図１０（ａ）に示すように、下流側中央フィン３２が第２壁部２２に対し平行になった状態では、各伝達軸６３は、第１孔部６６ａ，６７ａ（非伝達領域）と第２孔部６６ｂ，６７ｂ（伝達領域）との境界部分に位置する。
【００６８】
この状態では、両下流側端フィン３１は第２壁部２２に対し平行な状態となる。
（ｉｉ）図１０（ｂ）に示すように、下流側中央フィン３２が上流側ほど低くなるように、第２壁部２２に対し傾斜した状態では、上側の伝達軸６３は第２孔部６６ｂに位置し、下側の伝達軸６３は第１孔部６７ａに位置する。
【００６９】
この状態では、下流側中央フィン３２の上流端から遠い側である上側の下流側端フィン３１は、同下流側中央フィン３２と同様に上流側ほど低くなるように第２壁部２２に対し傾斜した状態となる。また、下流側中央フィン３２の上流端に近い側である下側の下流側端フィン３１は、第２壁部２２に対し平行な状態となる。
【００７０】
（ｉｉｉ）図１０（ｃ）に示すように、下流側中央フィン３２が上流側ほど高くなるように、第２壁部２２に対し傾斜した状態では、上側の伝達軸６３は第１孔部６６ａに位置し、下側の伝達軸６３は第２孔部６７ｂに位置する。
【００７１】
この状態では、下流側中央フィン３２の上流端に近い側である上側の下流側端フィン３１は、第２壁部２２に対し平行な状態となる。また、下流側中央フィン３２の上流端から遠い側である下側の下流側端フィン３１は、同下流側中央フィン３２と同様に上流側ほど高くなるように第２壁部２２に対し傾斜した状態となる。
【００７２】
＜伝達機構７０＞
図４、図５及び図９に示すように、伝達機構７０は、操作ノブ５１のスライド動作を上流側特定フィン４１に伝達して、両上流側フィン軸４４を支点として上流側特定フィン４１及び各上流側通常フィン４２を傾動させるとともに、それらの上流側特定フィン４１及び各上流側通常フィン４２により通風路２０を閉鎖させるための機構である。伝達機構７０は、一対のピニオンギヤ７１、伝達体７２及びフォーク部７５を備えて構成されている。
【００７３】
一対のピニオンギヤ７１は、それぞれ複数の歯を円弧状に配置してなる扇形の板状をなしている。各ピニオンギヤ７１は、上流側特定フィン４１の上流側フィン軸４４毎に一体回動可能に設けられており、上記第２壁部２２毎に設けられた格納部２８に格納されている。各ピニオンギヤ７１の複数の歯は下流側を向いている。両ピニオンギヤ７１は、第２方向に相対向している。
【００７４】
なお、ピニオンギヤ７１は上流側通常フィン４２には設けられていない。
伝達体７２は、第２方向に互いに離間した状態で配置された一対のラックギヤ７３と、第２方向へ延びて両ピニオンギヤ７１を連結する伝達軸部７４とを備えて構成されている。
【００７５】
一対のラックギヤ７３は、複数の歯を直線状に配置してなる矩形の板状をなしている。各ラックギヤ７３は、各第２壁部２２に設けられた上記ガイド溝２６内に配置されており、第１方向へスライド可能に配置されている。各ラックギヤ７３の複数の歯は、上流側を向いており、対向する上記ピニオンギヤ７１に噛み合わされている。
【００７６】
フォーク部７５は操作ノブ５１の上流端に一体に形成されており、伝達軸部７４を、第１方向の両側から挟み込んでいる。
図６及び図７に示すように、操作ノブ５１は、通常可動領域Ｒ１と特定可動領域Ｒ２とにおいてスライド操作可能である。通常可動領域Ｒ１は、上流側特定フィン４１及び各上流側通常フィン４２を傾動させて空調用空気Ａ１の流れ方向を変更する際に操作ノブ５１がスライド操作される領域である。特定可動領域Ｒ２は、上流側特定フィン４１及び各上流側通常フィン４２によって通風路２０を閉鎖する際に操作ノブ５１がスライド操作される領域であり、上記通常可動領域Ｒ１に繋がっている。なお、図６及び図７では、通常可動領域Ｒ１及び特定可動領域Ｒ２は、操作ノブ５１において、第１方向の中央部が変位する領域として示されている。
【００７７】
前記のようにして第１実施形態の空調用レジスタ１０が構成されている。次に、この空調用レジスタ１０の作用について説明する。
図５及び図９は、操作ノブ５１が、通常可動領域Ｒ１の中間部に位置し、かつ第２壁部２２に対し平行にされているときの空調用レジスタ１０の各部の状態を示している。このときの操作ノブ５１の位置を「基準位置」といい、上流側特定フィン４１及び各上流側通常フィン４２の位置を「上流側中立位置」という。また、このときの両下流側端フィン３１、下流側中央フィン３２及び両下流側中間フィン３３の位置を「下流側中立位置」というものとする。
【００７８】
上流側中立位置では、上流側特定フィン４１及び各上流側通常フィン４２が、いずれも両第１壁部２１に対し平行な状態となっている。連結ロッド４７は、両第１壁部２１から同程度ずつ離間した箇所に位置している。
【００７９】
また、下流側中立位置では、下流側中央フィン３２及び両下流側中間フィン３３が、いずれも第２壁部２２に対し平行な状態となっている。図１０（ａ）に示すように、上側の下流側端フィン３１の伝達軸６３は、第１孔部６６ａと第２孔部６６ｂとの境界部分でカム孔６６に係合している。上側の下流側端フィン３１が、第２壁部２２に対し平行な状態となって上側の収納部１７内に収納されている（図９参照）。
【００８０】
また、下側の下流側端フィン３１の伝達軸６３は、第１孔部６７ａと第２孔部６７ｂとの境界部分でカム孔６７に係合している。下側の下流側端フィン３１が第２壁部２２に対し平行な状態となって下側の収納部１７内に収納されている（図９参照）。
【００８１】
従って、空調用空気Ａ１は、上流側フィン群及び下流側フィン群から抵抗を殆ど受けることなく、少ない圧力損失で流れた後、吹出口１６から下流側へ真っ直ぐ吹き出す。
次に、吹出口１６からの空調用空気Ａ１の吹出し方向を変えるために操作ノブ５１が操作された場合の空調用レジスタ１０の作用について説明する。
【００８２】
＜操作ノブ５１に対し第２方向の力が加えられた場合＞
図９に示す、基準位置にある操作ノブ５１の下流端に対し上方へ向かう力が加えられた場合には、その力が、同操作ノブ５１を介して下流側中央フィン３２に伝達され、同下流側中央フィン３２が、両下流側フィン軸３５を支点として図１０（ａ）の反時計回り方向へ傾動させられる。この傾動に伴い、下流側中央フィン３２では、伝達軸６１が下流側フィン軸３５の周りを反時計回り方向へ旋回する。伝達軸６１からカム部材６４に対し下方へ向かう力が加わる。ここで、カム部材６４には、両下流側中間フィン３３の各伝達軸６１が連結されており、これらの伝達軸６１により、カム部材６４の回動が規制される。そのため、カム部材６４は、第２方向へ延びる姿勢を保ちつつ略下方へ平行移動する。この平行移動に伴い、両カム孔６６，６７も姿勢を保ちつつ略下方へ平行移動する。
【００８３】
図１０（ｂ）に示すように、下側の伝達軸６３のカム孔６７での係合位置は、上記平行移動に伴い第１孔部６７ａと第２孔部６７ｂとの境界部分から第１孔部６７ａの上端に近づく側へ変化する。そのため、下流側中央フィン３２の上記傾動が、カム孔６７を通じて下側の伝達軸６３に伝達されない。その結果、下流側中央フィン３２の上流端に近い側である下側の下流側端フィン３１は、第２壁部２２に対し平行な状態に保たれる。
【００８４】
これに対し、上側の伝達軸６３は、第２孔部６６ｂの上側の壁面から下向きの力を受けて、下流側フィン軸３５の周りを反時計回り方向へ旋回する。この旋回に伴い、上側の伝達軸６３のカム孔６６での係合位置は、第１孔部６６ａと第２孔部６６ｂとの境界部分から第２孔部６６ｂの下流端に近づく側へ変化する。上側の下流側端フィン３１は、下流側フィン軸３５を支点として、反時計回り方向へ傾動させられる。その結果、下流側中央フィン３２の上流端から遠い側である上側の下流側端フィン３１は、同下流側中央フィン３２と同様の方向、すなわち、上流側ほど低くなるように、第２壁部２２に対し傾斜した状態となる。
【００８５】
従って、通風路２０において第２方向の中間部分を流れる空調用空気Ａ１は、下流側中央フィン３２、両下流側中間フィン３３及び上側の下流側端フィン３１に沿って流れることで、斜め上方へ風向きを変えられる。
【００８６】
このときには、下側の下流側端フィン３１と下側の第２壁部２２との間の隙間はわずかである。そのため、この隙間を通って真っ直ぐ下流側へ流れる空調用空気Ａ１は少ない。
また、このときには、下側の下流側中間フィン３３が上流側ほど低くなるように第２壁部２２に対し傾斜し、同下流側中間フィン３３の上流端と下側の下流側端フィン３１との間の隙間がわずかである。そのため、この隙間を通って真っ直ぐ下流側へ流れる空調用空気Ａ１も少ない。
【００８７】
さらに、上側の下流側端フィン３１は上流側ほど低くなるように第２壁部２２に対し傾斜するが、下流側フィン軸３５と第２壁部２２との隙間がわずかである。そのため、この隙間を通って真っ直ぐ下流側へ流れる空調用空気Ａ１は少ない。
【００８８】
上記の状態から、操作ノブ５１の下流端に対し下方へ向かう力が加えられると、連動機構６０が上記とは逆の動作を行ない、両下流側端フィン３１、下流側中央フィン３２及び両下流側中間フィン３３が上記下流側中立位置に戻される。
【００８９】
下流側中立位置にある下流側中央フィン３２上の操作ノブ５１（図９参照）の下流端に対し、下方へ向かう力が加えられると、下流側中央フィン３２が操作ノブ５１を伴って、両下流側フィン軸３５を支点として図１０（ａ）の時計回り方向へ傾動させられる。この傾動に伴い下流側フィン軸３５の周りを同方向へ旋回する伝達軸６１により、カム部材６４が図１０（ｃ）に示すように、第２方向へ延びる姿勢を保ちつつ略上方へ平行移動する。この平行移動に伴い、両カム孔６６，６７も姿勢を保ちつつ略上方へ平行移動する。
【００９０】
下流側中央フィン３２の上記傾動は、カム孔６６を通じて上側の伝達軸６３に伝達されず、下流側中央フィン３２の上流端に近い側である上側の下流側端フィン３１が、第２壁部２２に対し平行な状態に維持される。
【００９１】
これに対し、下流側中央フィン３２の上記傾動は、下側のカム孔６７を通じて下側の伝達軸６３に伝達され、下流側中央フィン３２の上流端から遠い側である下側の下流側端フィン３１が、同下流側中央フィン３２と同様、下流側フィン軸３５を支点として時計回り方向へ傾動させられる。下側の下流側端フィン３１は、下流側中央フィン３２と同様の方向、すなわち、上流側ほど高くなるように、第２壁部２２に対し傾斜した状態となる。
【００９２】
従って、通風路２０において第２方向の中間部分を流れる空調用空気Ａ１は、下流側中央フィン３２、両下流側中間フィン３３及び下側の下流側端フィン３１に沿って流れることで、斜め下方へ風向きを変えられる。
【００９３】
上記の状態から、操作ノブ５１の下流端に対し上方へ向かう力が加えられると、連動機構６０が上記とは逆の動作を行ない、両下流側端フィン３１、下流側中央フィン３２及び両下流側中間フィン３３が上記下流側中立位置に戻される。
【００９４】
なお、操作ノブ５１が第２方向にのみ操作された場合には、フォーク部７５が伝達軸部７４を挟み込んだ状態で、下流側中央フィン３２の下流側フィン軸３５の周りを旋回する。そのため、両フォーク部７５の動きは伝達軸部７４に伝達されない。従って、上流側特定フィン４１はもちろんのこと、全ての上流側通常フィン４２も傾動させられない。
【００９５】
＜操作ノブ５１に対し第１方向の力が加えられた場合＞
図６（ａ）は、図５の基準位置から操作ノブ５１が、通常可動領域Ｒ１において下流側中央フィン３２に沿って左方へスライド操作された場合の空調用レジスタ１０の上流部の状態を示している。
【００９６】
上記スライド操作に伴い、フォーク部７５が図５よりも左方へ移動し、伝達体７２の伝達軸部７４を同方向へ押圧する。このときの押圧力は、伝達軸部７４を通じて、その伝達軸部７４の両端に設けられた一対のラックギヤ７３に伝達される。各ラックギヤ７３は、第１方向へ延びるガイド溝２６に係合されている。そのため、両ラックギヤ７３は、第２方向に相対向した状態でガイド溝２６に沿って左方へスライド移動する。各ラックギヤ７３は、ガイド溝２６によって第１方向へ導かれる。伝達体７２が、姿勢を保ちながら操作ノブ５１と同一方向へ移動する。
【００９７】
両ラックギヤ７３の上記移動に伴い、ピニオンギヤ７１のラックギヤ７３との噛合い部分が変化し、上流側フィン軸４４を支点としてピニオンギヤ７１が図５の時計回り方向へ回動する。上流側特定フィン４１が上流側フィン軸４４を支点として同方向へ傾動する。
【００９８】
図６（ａ）に示すように、上流側特定フィン４１の上記傾動は、平行リンク機構４８を介して全ての上流側通常フィン４２に伝達される。すなわち、上流側特定フィン４１の上記傾動に伴い、同上流側特定フィン４１の連結軸４６が上流側フィン軸４４の周りを時計回り方向へ旋回する。上流側特定フィン４１の連結軸４６の上記動きは、連結ロッド４７を介して、全ての上流側通常フィン４２の連結軸４６に伝達される。連結ロッド４７は、第１方向へ延びる姿勢を保ちつつ右方へ平行移動する。上流側通常フィン４２毎の連結軸４６が上流側フィン軸４４の周りを時計回り方向へ旋回する。
【００９９】
その結果、上流側特定フィン４１に同期して、全ての上流側通常フィン４２が上流側フィン軸４４を支点として上記上流側中立位置から時計回り方向へ傾動させられ、下流側ほど左側の第１壁部２１に接近する傾斜状態となる。そのため、空調用空気Ａ１は、上流側特定フィン４１及び上流側通常フィン４２に沿って流れることで、流れ方向を斜め左方へ変えられる。
【０１００】
なお、上記図６（ａ）の位置から操作ノブ５１が、通常可動領域Ｒ１において下流側中央フィン３２に沿って右方へスライド操作された場合には、上流側特定フィン４１及び各上流側通常フィン４２は、上記とは逆の動作を行なう。
【０１０１】
一方、図６（ｂ）は、上記図６（ａ）とは逆に、上記基準位置（図５参照）から操作ノブ５１が、通常可動領域Ｒ１において下流側中央フィン３２に沿って右方へスライド操作された場合の空調用レジスタ１０の上流部の状態を示している。
【０１０２】
上記スライド操作に伴い、フォーク部７５が右方へ移動し、伝達軸部７４を右方へ押圧する。フォーク部７５による押圧力は、伝達軸部７４を通じて、両ラックギヤ７３に伝達される。各ラックギヤ７３は、ガイド溝２６に沿って右方へスライド移動する。
【０１０３】
両ラックギヤ７３の上記スライド移動に伴い、ピニオンギヤ７１のラックギヤ７３との噛合い部分が変化し、上流側特定フィン４１の上流側フィン軸４４を支点としてピニオンギヤ７１が図５の反時計回り方向へ回動する。上流側特定フィン４１が上流側フィン軸４４を支点として同方向へ傾動する。
【０１０４】
図６（ｂ）に示すように、上流側特定フィン４１の上記傾動は、平行リンク機構４８を介して全ての上流側通常フィン４２に伝達される。その結果、上流側特定フィン４１に同期して、全ての上流側通常フィン４２が上流側フィン軸４４を支点として上記上流側中立位置から反時計回り方向へ傾動させられ、下流側ほど右側の第１壁部２１に接近する傾斜状態となる。そのため、空調用空気Ａ１は、上流側フィン群に沿って流れることで、流れ方向を斜め右方へ変えられる。
【０１０５】
なお、上記図６（ｂ）の位置から操作ノブ５１が、通常可動領域Ｒ１において下流側中央フィン３２に沿って左方へスライド操作された場合には、上流側フィン群は、上記とは逆の動作を行なう。
【０１０６】
上記図６（ｂ）の状態からさらに操作ノブ５１が右方へスライド操作されると、同操作ノブ５１は、通常可動領域Ｒ１から特定可動領域Ｒ２へ移行する。この場合にも、操作ノブ５１が上記通常可動領域Ｒ１でスライド操作された場合と同様に、各部が作動する。
【０１０７】
そして、操作ノブ５１が特定可動領域Ｒ２の端までスライド操作されると、空調用レジスタ１０は、図７に示す状態になる。この状態では、上流側特定フィン４１及び上流側通常フィン４２のうち傾動方向後側に位置するものの上流部分が、傾動方向前側に位置するものの下流部分に重ね合わされる。通風路２０が閉鎖された状態となり、空調用空気Ａ１が上流側フィン群よりも下流側へ流れることが遮断される。
【０１０８】
なお、上記図７の位置から操作ノブ５１が、特定可動領域Ｒ２において下流側中央フィン３２に沿って左方へスライド操作された場合には、上流側フィン群は、上記とは逆の動作を行なう。
【０１０９】
ここで、操作ノブ５１のスライド操作（直線運動）は、ラックギヤ７３及びピニオンギヤ７１によって上流側特定フィン４１の上流側フィン軸４４を支点とした傾動運動に変換される。そのため、操作ノブ５１のスライド操作のために同操作ノブ５１に加えられる荷重（操作荷重）は、通常可動領域Ｒ１でも特定可動領域Ｒ２でも小さく、しかも略一定である。
【０１１０】
また、一般に、空調用レジスタ１０では、ケース１１（内ケース１２）内に配置された部品は、吹出口１６の実開口面積を小さくする要因となり得る。実開口面積は、吹出口１６での空調用空気Ａ１の通風方向に直交する面において、上記各部品が投影されていない箇所の面積である。操作ノブ５１の動きを上流側特定フィン４１に伝達する部位も、実開口面積を小さくする要因の１つとなり得る。そして、実開口面積が小さくなるに従い通風抵抗が増し、圧力損失が増大し、騒音が発生する。従って、こうした圧力損失や騒音の発生を抑制するうえでは、吹出口１６での空調用空気Ａ１の通風方向に直交する面において、ケース１１（内ケース１２）内の部品が投影される面（投影面）を小さくすることが重要である。
【０１１１】
この点、第１実施形態では、上流側特定フィン４１の両上流側フィン軸４４は、いずれも通風路２０から第２方向へ外れた箇所に位置する。一対のピニオンギヤ７１は、上記上流側フィン軸４４に設けられていて、各第２壁部２２に設けられた格納部２８に格納されている。また、一対のラックギヤ７３は、上記ピニオンギヤ７１に噛み合わされている。伝達機構７０のうち両ピニオンギヤ７１及び両ラックギヤ７３は、通風路２０から第２方向の外側へ外れた箇所に位置する。伝達機構７０のうち通風路２０に位置するのは、伝達軸部７４及びフォーク部７５のみである。
【０１１２】
操作ノブ５１のスライド操作をフォーク部７５によって伝達軸部７４に伝達して、伝達体７２を移動させ、上流側特定フィン４１を傾動させるものでは、フォーク部７５が下流側中央フィン３２の傾きに拘らず伝達軸部７４を挟み込む構造を採っている。そのため、下流側中央フィン３２の延びる方向についても厚み方向についてもフォーク部７５の寸法は小さくてすむ。
【０１１３】
従って、通風路内において上流側特定フィンの上流側本体部にピニオンギヤが設けられ、操作ノブに設けられたラックギヤがこのピニオンギヤに噛み合わされたもの（特許文献１）に比べ、操作ノブ５１のスライド操作を上流側特定フィン４１に伝達するための部位の投影面が小さくなり、同部位に起因する圧力損失及び騒音発生が抑制される。
【０１１４】
以上詳述した第１実施形態によれば、次の効果が得られる。
（１）操作ノブ５１のスライド動作を上流側特定フィン４１に伝達して、同上流側特定フィン４１及び上流側通常フィン４２を傾動させて通風路２０を閉鎖させる伝達機構７０として、ピニオンギヤ７１、伝達体７２及びフォーク部７５を備えるものを採用する。ピニオンギヤ７１を、上流側特定フィン４１の少なくとも一方の上流側フィン軸４４に一体回動可能に設ける。伝達体７２を、下流側中央フィン３２の延びる方向（第１方向）へスライド可能に配置され、かつピニオンギヤ７１に噛み合わされたラックギヤ７３と、ラックギヤ７３に繋がれた伝達軸部７４とにより構成する。そして、操作ノブ５１に設けられたフォーク部７５によって伝達軸部７４を挟み込んでいる（図４、図５）。
【０１１５】
そのため、操作ノブ５１のスライド操作を上流側特定フィン４１に伝達するための部位に起因する圧力損失及び騒音発生を抑制することができる。また、通風路２０を上流側特定フィン４１及び上流側通常フィン４２によって閉鎖する際に操作ノブ５１の操作荷重が大きくなるのを抑制することができる。さらに、操作ノブ５１を通常可動領域Ｒ１でスライド操作する場合の操作荷重と、特定可動領域Ｒ２でスライド操作する場合の操作荷重との差を小さくすることができる。その結果、操作ノブ５１の操作フィーリングの向上を図ることができる。
【０１１６】
（２）仮に、上流側特定フィン４１の上流側本体部４３にピニオンギヤ７１を設けた場合には、上流側フィン群によって通風路２０を閉鎖した場合に、ピニオンギヤ７１が隣の上流側通常フィン４２の上流側本体部４３と干渉するのを回避するために、同上流側通常フィン４２に、逃がし形状を有する干渉回避部を設ける必要がある。この干渉回避部は、吹出口１６の実開口面積を小さくし、圧力損失の増大や騒音の発生を招く。
【０１１７】
この点、第１実施形態では、上流側特定フィン４１の上流側フィン軸４４にピニオンギヤ７１を設けている（図４、図５）。そのため、上流側フィン群によって通風路２０を閉鎖した場合（図７）に、ピニオンギヤ７１が隣の上流側通常フィン４２の上流側本体部４３と干渉することが起こりにくい。従って、干渉を回避するために、隣の上流側通常フィン４２の上流側本体部４３に、逃がし形状を有する干渉回避部を設ける必要がない。その結果、干渉回避部に起因して、吹出口１６の実開口面積が小さくなるのを抑制することができる。この点においても、第１実施形態は、圧力損失の増大や騒音の発生を抑制することができる。
【０１１８】
（３）ピニオンギヤ７１を、上流側特定フィン４１の一対の上流側フィン軸４４のそれぞれに設ける。ラックギヤ７３を、ピニオンギヤ７１に対応して一対設ける。そして、両ラックギヤ７３を、第２方向へ延びる伝達軸部７４によって連結している（図４）。
【０１１９】
そのため、伝達体７２の姿勢を保ちながら、同伝達体７２を操作ノブ５１と同一方向へ安定した状態で移動させることができる。
（４）上流側特定フィン４１の上流側フィン軸４４が支持される第２壁部２２に、ピニオンギヤ７１を格納するための格納部２８を設けている（図４、図９）。
【０１２０】
そのため、ピニオンギヤ７１及びラックギヤ７３を通風路２０から外れた箇所に配置し、これらのピニオンギヤ７１及びラックギヤ７３が通風路２０での空調用空気Ａ１の流通を阻害するのを抑制することができる。
【０１２１】
（５）第２壁部２２に、下流側中央フィン３２の延びる方向に沿って延びるガイド溝２６を設け、ラックギヤ７３をこのガイド溝２６にスライド可能に配置している（図３、図９）。
【０１２２】
そのため、操作ノブ５１が下流側中央フィン３２の延びる方向の一方へスライド操作された場合に、ラックギヤ７３を同方向へ的確にスライド移動させることができる。
（６）下流側中央フィン３２及び両下流側端フィン３１の間に、同下流側端フィン３１を下流側中央フィン３２の傾動に連動させる連動機構６０を設ける。この連動機構６０により、第２壁部２２に対し平行な状態から下流側中央フィン３２が傾動させられたときには、同下流側中央フィン３２の上流端に近い側の下流側端フィン３１を第２壁部２２に対し平行な状態に維持する。また、下流側中央フィン３２の上流端から遠い側の下流側端フィン３１を傾動させて、下流側中央フィン３２と同一傾向の方向へ傾斜させるようにしている（図１０）。
【０１２３】
そのため、ケース１１（内ケース１２）の通風路２０において、第２方向の中間部分を流れる空調用空気Ａ１を、下流側中央フィン３２の傾く方向へ流れさせることで、空調用空気Ａ１の指向性を向上させることができる。
【０１２４】
また、下流側端フィン３１を、第２壁部２２に対し平行な状態と、上流側ほど通風路２０の内側に位置するように第２壁部２２に対し傾斜させた状態との間で傾動させるようにしている。各下流側端フィン３１を、通風路２０から遠ざかる側へ傾動させないようにしている。そのため、ケース１１（内ケース１２）の第２壁部２２を下流側端フィン３１の下流側フィン軸３５に近づけ、両第２壁部２２の間隔を小さくすることで、ケース１１（内ケース１２）の第２方向の寸法を小さくすることができる。
【０１２５】
（７）連動機構６０として、下流側中央フィン３２及び両下流側中間フィン３３の各々に伝達軸６１を設け、各下流側端フィン３１に伝達軸６３を設ける。下流側中央フィン３２の傾動に連動して第２方向へ移動するカム部材６４（伝達部材）を設ける。カム部材６４に、下流側中央フィン３２及び両下流側中間フィン３３の各伝達軸６１を係合する。カム部材６４に、下流側端フィン３１毎の伝達軸６３がそれぞれ係合される一対のカム孔６６，６７（被係合部）を設ける。各カム孔６６，６７を、カム部材６４の移動を下流側端フィン３１に伝達する第２孔部６６ｂ，６７ｂ（伝達領域）と、伝達しない第１孔部６６ａ，６７ａ（非伝達領域）とによって構成している（図１０）。
【０１２６】
そのため、下流側中央フィン３２の傾動に伴いカム部材６４を第２方向へ移動させて、各下流側端フィン３１の伝達軸６３のカム孔６６，６７における位置を変化させることで、各下流側端フィン３１を第２壁部２２に対し平行な状態にしたり、下流側中央フィン３２と同一傾向の方向へ傾斜した状態にしたりすることができる。
【０１２７】
また、下流側中間フィン３３の伝達軸６１によって、カム部材６４が不要に回動するのを規制し、同カム部材６４を第２方向へ安定した姿勢で平行移動させることができる。
（第２実施形態）
次に、車両用の空調用レジスタ１０に具体化した第２実施形態について、図１１〜図１７を参照しながら説明する。
【０１２８】
第２実施形態は、空調用レジスタ１０が、ケース１１、下流側フィン群、上流側フィン群、操作ノブ５１、連動機構６０及び伝達機構７０を備えている点で第１実施形態と共通している。
【０１２９】
これに対し、第２実施形態は、上記空調用レジスタ１０を構成する部材、機構等のうち、ケース１１の形状、下流側フィン群の構成及び連動機構６０の構成の点において、第１実施形態と異なっている。次に、この第１実施形態との相違点を中心に、第２実施形態について説明する。
【０１３０】
＜ケース１１＞
図１１及び図１２に示すように、第２実施形態では、ケース１１として、第１実施形態よりも第２方向の寸法の小さな四角筒状をなすものが用いられている。また、吹出口１６は、第１実施形態よりも第２方向の寸法の小さな横長の長方形状をなしている。
【０１３１】
吹出口１６の周りは、横長の四角環状をなすベゼル１８によって構成されている。
＜下流側フィン群＞
図１３及び図１６に示すように、下流側フィン群は、一対の下流側端フィン３１と下流側中央フィン３２とによって構成されている。このように構成したのは、第２方向の寸法の小さな通風路２０において、下流側中央フィン３２とその隣の下流側端フィン３１との間隔をできるだけ大きくして空調用空気Ａ１の流路を確保するためである。
【０１３２】
＜連動機構６０＞
図１４及び図１７に示すように、第２実施形態では、第１実施形態とは異なり、下流側中央フィン３２と各下流側端フィン３１との間に下流側中間フィン３３が配置されていない。カム部材６４の姿勢を安定させるための下流側中間フィン３３の伝達軸６１がカム部材６４に係合されていない。そのため、下流側中央フィン３２が傾動されて、その傾動が伝達軸６１を通じてカム部材６４に伝達されたとき、同カム部材６４が下流側中央フィン３２の伝達軸６１を支点として回動し、同カム部材６４の姿勢が不安定となるおそれがある。
【０１３３】
そこで、第２実施形態では、下流側中央フィン３２の傾動に伴いカム部材６４を一定の姿勢に保ちつつ移動させる姿勢維持機構８０がさらに設けられている。
姿勢維持機構８０は、複数のピン８１と、ガイド面８３を有する段差部８４とによって構成されている。ピン８１は、カム部材６４において第２方向へ互いに離間した２箇所から、それぞれ第１方向の外方へ向けて延びている。
【０１３４】
また、一方（図１４の右方）の第１壁部２１の内壁面であって、軸受部２３よりも上流となる箇所には、第１方向の外方へ凹む凹部８２が形成されている。第１壁部２１において、凹部８２の形成されている箇所と、それよりも下流側で凹部８２が形成されていない箇所とでは、内壁面の位置が第１方向に異なっている。凹部８２の形成されている箇所での内壁面は、凹部８２の形成されていない箇所での内壁面よりも、第１方向の外方に位置している。また、凹部８２の形成されている箇所での内壁面と、凹部８２の形成されていない箇所での内壁面との間には、第１方向に平行にガイド面８３が形成されている。
【０１３５】
ガイド面８３は、下流側中央フィン３２の傾動に伴いカム部材６４を一定の姿勢で移動させる際に各ピン８１が移動する軌跡に沿う形状に形成されている。ガイド面８３は、それぞれ上流側へ膨らむ円弧状の曲面部８３ａを一対備えている。各ピン８１は対応する曲面部８３ａに接触又は接近している。
【０１３６】
そして、第１壁部２１において、凹部８２が形成されておらず、上記ガイド面８３を有する部分が段差部８４となっている（図１５参照）。
第２実施形態における空調用レジスタ１０の上記以外の構成は、第１実施形態と同様である。そのため、第１実施形態で説明したものと同様の要素には同一の符号を付し、重複する説明を省略する。
【０１３７】
従って、第２実施形態の空調用レジスタ１０は、操作ノブ５１に対し第２方向の力が加えられた場合の動作態様の点で第１実施形態の空調用レジスタ１０と異なる。それ以外の動作については、第１実施形態と同様である。
【０１３８】
図１６に示す基準位置にある操作ノブ５１の下流端に対し上方へ向かう力が加えられた場合には、その力が、操作ノブ５１を介して下流側中央フィン３２に伝達され、同下流側中央フィン３２が、両下流側フィン軸３５を支点として図１７（ａ）の反時計回り方向へ傾動させられる。この傾動に伴い、伝達軸６１が下流側中央フィン３２の下流側フィン軸３５の周りを同方向へ旋回する。伝達軸６１からカム部材６４に対し下方へ向かう力が加わる。ここで、カム部材６４の第２方向へ互いに離間した２箇所には、それぞれ第１方向の外方へ向けて突出する一対のピン８１が設けられており、これらのピン８１が第１壁部２１におけるガイド面８３の曲面部８３ａに接触又は接触している。
【０１３９】
そのため、これらのピン８１により、カム部材６４の伝達軸６１を支点とした回動が規制される。より詳しくは、上側のピン８１により、カム部材６４の時計回り方向の回動が規制され、下側のピン８１により、カム部材６４の反時計回り方向の回動が規制される。そのため、カム部材６４は、第２方向へ延びる姿勢を保ちつつ略下方へ平行移動する。この平行移動に伴い、両カム孔６６，６７も姿勢を維持しながら略下方へ平行移動する。
【０１４０】
図１７（ｂ）に示すように、下側の伝達軸６３のカム孔６７での係合位置は、第１孔部６７ａと第２孔部６７ｂとの境界部分から第１孔部６７ａの上端に近づく側へ変化する。そのため、下流側中央フィン３２の上記傾動がカム孔６７を通じて下側の伝達軸６３に伝達されない。その結果、下流側中央フィン３２の上流端に近い側である下側の下流側端フィン３１は、第２壁部２２に対し平行な状態に維持される。
【０１４１】
これに対し、上側の伝達軸６３は、第２孔部６６ｂの上側の壁面から下向きの力を受けて、上側の下流側フィン軸３５の周りを反時計回り方向へ旋回する。この旋回に伴い、上側の伝達軸６３のカム孔６６での係合位置は、第１孔部６６ａと第２孔部６６ｂとの境界部分から同第２孔部６６ｂの下流端に近づく側へ変化する。上側の下流側端フィン３１は、下流側フィン軸３５を支点として、反時計回り方向へ傾動させられる。その結果、下流側中央フィン３２の上流端から遠い側である上側の下流側端フィン３１は、下流側中央フィン３２と同様の方向、すなわち、上流側ほど低くなるように、第２壁部２２に対し傾斜した状態となる。
【０１４２】
上記の状態から、操作ノブ５１の下流端に対し下方へ向かう力が加えられると、連動機構６０が上記とは逆の動作を行ない、両下流側端フィン３１及び下流側中央フィン３２が上記下流側中立位置に戻される。
【０１４３】
下流側中立位置にある下流側中央フィン３２上の操作ノブ５１（図１６参照）の下流端に対し、下方へ向かう力が加えられると、下流側中央フィン３２及び両下流側端フィン３１が上記とは逆の動作を行なう。
【０１４４】
この場合には、下流側中央フィン３２が操作ノブ５１を伴って、下流側フィン軸３５を支点として図１７（ａ）の時計回り方向へ傾動させられる。この傾動に伴い下流側中央フィン３２の下流側フィン軸３５の周りを同方向へ旋回する伝達軸６１により、カム部材６４が第２方向へ延びる姿勢を保ちつつ略上方へ平行移動する。この平行移動に伴い、両カム孔６６，６７も姿勢を保ちつつ略上方へ平行移動する。
【０１４５】
図１７（ｃ）に示すように、下流側中央フィン３２の上記傾動は、上側のカム孔６６を通じて上側の伝達軸６３に伝達されず、下流側中央フィン３２の上流端に近い側である上側の下流側端フィン３１が、第２壁部２２に対し平行な状態に維持される。
【０１４６】
これに対し、下流側中央フィン３２の上記傾動は、下側のカム孔６７を通じて下側の伝達軸６３に伝達され、下流側中央フィン３２の上流端から遠い側である下側の下流側端フィン３１が、同下流側中央フィン３２と同様、下流側フィン軸３５を支点として時計回り方向へ傾動させられる。下側の下流側端フィン３１は、下流側中央フィン３２と同様の方向、すなわち、上流側ほど高くなるように、第２壁部２２に対し傾斜した状態となる。
【０１４７】
上記の状態から、操作ノブ５１の下流端に対し上方へ向かう力が加えられると、連動機構６０が上記とは逆の動作を行ない、両下流側端フィン３１及び下流側中央フィン３２が上記下流側中立位置に戻される。
【０１４８】
従って、第２実施形態によると、上述した第１実施形態の（１）〜（７）と同様の効果が得られるほか、次の効果が得られる。
（８）下流側中央フィン３２の傾動に伴いカム部材６４を一定の姿勢に保ちつつ移動させる姿勢維持機構８０を設けている（図１４、図１７）。
【０１４９】
そのため、下流側中央フィン３２が下流側中立位置から傾動させられた場合、カム部材６４を、一定の姿勢に保ちつつ第２方向へ移動させる。カム部材６４に設けられた一対のカム孔６６，６７もまた一定の姿勢に保ちつつ第２方向へ移動させることができる。その結果、カム孔６６，６７の姿勢が変化して、カム孔６６，６７と伝達軸６３との位置関係がずれるのを抑制することができる。
【０１５０】
（９）姿勢維持機構８０として、カム部材６４の互いに第２方向へ離間した複数箇所（２箇所）からピン８１を突出させる。また、ガイド面８３を有する段差部８４を第１壁部２１に設ける。ガイド面８３を、下流側中央フィン３２の傾動に伴いカム部材６４を一定の姿勢に保ちつつ移動させる際にピン８１が移動する軌跡に沿って形成する。そして、ピン８１をガイド面８３に接触又は接近させている（図１４、図１７）。
【０１５１】
そのため、ガイド面８３を有する段差部８４によって両ピン８１の動きを規制し、カム部材６４を、傾動させることなく一定の姿勢に保ちつつ第２方向へ平行移動させることができる。
【０１５２】
なお、上記実施形態は、これを以下のように変更した変形例として実施することもできる。
＜下流側フィン群について＞
・第２実施形態において、両下流側端フィン３１の一方又は双方が省略されてもよい。
【０１５３】
・第１実施形態において、下流側中央フィン３２と各下流側端フィン３１との間に、複数の下流側中間フィン３３が配置されてもよい。
＜上流側フィン群について＞
・上流側通常フィン４２は、複数であることを条件に、上記各実施形態とは異なる数に変更されてもよい。
【０１５４】
＜連動機構６０＞
・第１実施形態における連動機構６０は、両下流側端フィン３１及び両下流側中間フィン３３を、下流側中央フィン３２と同一傾向の傾きとなるように、同下流側中央フィン３２に同期した状態で傾動させるものであってもよい。
【０１５５】
・第２実施形態における連動機構６０は、両下流側端フィン３１を下流側中央フィン３２と同一傾向の傾きとなるように、同下流側中央フィン３２に同期した状態で傾動させるものであってもよい。
【０１５６】
＜カム部材６４について＞
・カム部材６４における各カム孔６６，６７は、カム部材６４を貫通していない溝部（カム溝）によって構成されてもよい。
【０１５７】
＜伝達機構７０について＞
・ピニオンギヤ７１は、上流側特定フィン４１の一方の上流側フィン軸４４にのみ設けられてもよい。この場合、ラックギヤ７３も１つになる。伝達体７２は、伝達軸部７４の一方の端部にのみラックギヤ７３を繋ぐことにより構成される。ただし、この場合には、伝達体７２を、その姿勢を安定させた状態で移動させるための機構が別途必要となる。
【０１５８】
・各ラックギヤ７３を第１方向へスライド可能にガイドするために、ガイド溝２６に代えて、第１方向へ延びる突条（ガイドリブ）が両第２壁部２２に設けられるとともに、第１方向へ延びる溝が両ラックギヤ７３に設けられる。そして、各ラックギヤ７３が溝部において、対応する突条（ガイドリブ）に係合されてもよい。この場合には、操作ノブ５１のスライド操作により、各ラックギヤ７３が突条（ガイドリブ）に沿って第１方向へスライド移動させられる。
【０１５９】
＜姿勢維持機構８０＞
・第２実施形態での姿勢維持機構８０におけるピン８１がカム部材６４の１箇所にのみ設けられてもよい。この場合に、第２実施形態と同様のガイド面８３にピン８１を接触させると、カム部材６４の一方向の回動を規制することができるものの、他方向の回動を規制することができない。
【０１６０】
そのため、この場合には、ガイド面８３を有する段差部８４に代え、ピン８１が係入されるガイド溝又はガイド孔を第１壁部２１に設けることが望ましい。これらのガイド溝又はガイド孔は、下流側中央フィン３２の傾動に伴いカム部材６４を一定の姿勢に保ちつつ移動させる際にピン８１が移動する軌跡に沿って形成されることが望ましい。なお、ガイド溝とガイド孔との違いは、前者が第１壁部２１を貫通していないのに対し、後者は貫通していることである。
【０１６１】
このようにすると、下流側中央フィン３２が下流側中立位置から傾動させられると、その傾動が伝達軸６１を介してカム部材６４に伝達される。カム部材６４から突出するピン８１は、同第１壁部２１に設けられたガイド溝又はガイド孔に係入されていて、動きを規制される。この規制により、カム部材６４は、不要に傾動することなく一定の姿勢を保ちつつ第２方向へ移動させられる。
【０１６２】
＜適用箇所について＞
・上記空調用レジスタは、車室内においてインストルメントパネルとは異なる箇所に設けられる空調用レジスタにも適用可能である。
【０１６３】
・上記空調用レジスタは、空調装置から送られてきて室内に吹き出す空調用空気の向きをフィンによって変更したり、通風路をフィンによって閉鎖したりすることのできるものであれば、車両に限らず広く適用可能である。
【０１６４】
＜その他＞
・上記空調用レジスタ１０は、吹出口１６が縦長となるように配置される空調用レジスタ１０にも適用可能である。この場合、上下方向が第１方向となり、車幅方向が第２方向となる。ケース１１において、上下方向に相対向する壁部が第１壁部２１となり、車幅方向に相対向する壁部が第２壁部２２となる。下流側端フィン３１、下流側中央フィン３２及び下流側中間フィン３３は車幅方向に配列され、上流側特定フィン４１及び上流側通常フィン４２は上下方向に配列されることとなる。
【符号の説明】
【０１６５】
１０…空調用レジスタ、１１…ケース、２０…通風路、２１…第１壁部（壁部）、２２…第２壁部（壁部）、２６…ガイド溝、２８…格納部、３１…下流側端フィン（下流側フィン）、３２…下流側中央フィン（下流側フィン）、３３…下流側中間フィン（下流側フィン）、４１…上流側特定フィン（上流側フィン）、４２…上流側通常フィン（上流側フィン）、４３…上流側本体部、４４…上流側フィン軸、５１…操作ノブ、６０…連動機構、６１，６３…伝達軸、６４…カム部材（伝達部材）、６６，６７…カム孔（被係合部）、６６ａ，６７ａ…第１孔部（非伝達領域）、６６ｂ，６７ｂ…第２孔部（伝達領域）、７０…伝達機構、７１…ピニオンギヤ、７２…伝達体、７３…ラックギヤ、７４…伝達軸部、７５…フォーク部、８０…姿勢維持機構、８１…ピン、８３…ガイド面、８４…段差部、Ａ１…空調用空気。
【図１】
2016032958.tif 000003
【図２】
2016032958.tif 000004
【図３】
2016032958.tif 000005
【図４】
2016032958.tif 000006
【図５】
2016032958.tif 000007
【図６】
2016032958.tif 000008
【図７】
2016032958.tif 000009
【図８】
2016032958.tif 000010
【図９】
2016032958.tif 000011
【図１０】
2016032958.tif 000012
【図１１】
2016032958.tif 000013
【図１２】
2016032958.tif 000014
【図１３】
2016032958.tif 000015
【図１４】
2016032958.tif 000016
【図１５】
2016032958.tif 000017
【図１６】
2016032958.tif 000018
【図１７】
2016032958.tif 000019